(57)【要約】【課題】高精度かつ高強度の小型化されたフラッシュ機構を提供する。【解決手段】カメラ本体に保持される回転軸受８と、先端部側に発光部を保持する発光部保持部を有すると共に基端部側に前記回転軸受に支持される支持部を有する発光部ホルダー１０と、前記発光部ホルダーに沿って配置され、前記発光部ホルダーを発光位置または収納位置に位置させる回転軸部材１２と、を備えるフラッシュ機構であって、前記回転軸部材は、前記発光部ホルダーの基端部側に対向する位置に設けられた回転軸１２ａ及び前記回転軸の近傍に設けられたストッパー軸１２ｂを有し、前記発光部ホルダーは、前記回転軸が貫通する回転軸穴１８ａ及び前記ストッパー軸が貫通するストッパー軸穴１８ｂを有し、前記回転軸受は、前記回転軸が挿入される回転軸受部８ａ及び前記回転軸部材の回動に伴い前記ストッパー軸が内部を移動するストッパー受部８ｂを有する。【選択図】図３
2014071274.tif 000002
【特許請求の範囲】
【請求項１】
カメラ本体に保持される回転軸受と、
先端部側に発光部を保持する発光部保持部を有すると共に基端部側に前記回転軸受に支持される支持部を有する発光部ホルダーと、
前記発光部ホルダーに沿って配置され、前記発光部ホルダーを発光位置または収納位置に位置させる回転軸部材と、を備えるフラッシュ機構であって、
前記回転軸部材は、前記発光部ホルダーの基端部側に対向する位置に設けられた回転軸及び前記回転軸の近傍に設けられたストッパー軸を有し、
前記発光部ホルダーは、前記回転軸が貫通する回転軸穴及び前記ストッパー軸が貫通するストッパー軸穴を有し
前記回転軸受は、前記回転軸が挿入される回転軸受部及び前記回転軸部材の回動に伴い前記ストッパー軸が内部を移動するストッパー受部を有することを特徴とするフラッシュ機構。
【請求項２】
前記回転軸部材は、基端部側に前記発光部ホルダーを発光位置方向に付勢するバネを支持するバネ支持軸を有し、先端部側に前記バネを係止するバネ係止部を有することを特徴とする請求項１記載のフラッシュ機構。
【請求項３】
前記発光部ホルダーの前記支持部は前記回転軸受を挟持する一対の回転軸受支持部を有し、
前記回転軸部材は、少なくとも一方の前記回転軸受支持部に沿って設けられることを特徴とする請求項１または２記載のフラッシュ機構。
【請求項４】
前記回転軸部材は、絞り加工により一体的に成形されていることを特徴とする請求項１〜３の何れか一項に記載のフラッシュ機構。
【発明の詳細な説明】
【技術分野】
【０００１】
本発明は、カメラ本体の上部に設けられた内蔵フラッシュのフラッシュ機構に関するものである。
【背景技術】
【０００２】
従来、カメラ本体に支持軸を介して支持され、支持軸周りに回動させることによりカメラ本体に収納された収納位置からカメラ本体から突出した発光位置に移動する内蔵フラッシュが存在する（例えば、特許文献１参照）。
【先行技術文献】
【特許文献】
【０００３】
【特許文献１】特開２００９−２７６５８４号公報
【発明の概要】
【発明が解決しようとする課題】
【０００４】
しかし、上述の内蔵フラッシュにおいては、内蔵フラッシュをカメラ本体に支持するための支持軸や内蔵フラッシュを発光位置で停止させるストッパーなどを別々の部品として形成していたことから、各部品毎に精度及び強度を高める必要があるが、各部品毎の精度を高めつつ強度を高めることは困難であった。また支持軸やストッパーなどを別々の部品として形成しているため内蔵フラッシュの小型化が困難であった。
【０００５】
本発明の目的は、高精度かつ高強度の小型化されたフラッシュ機構を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明のフラッシュ機構は、カメラ本体に保持される回転軸受（８）と、先端部側に発光部を保持する発光部保持部を有すると共に基端部側に前記回転軸受に支持される支持部を有する発光部ホルダー（１０）と、前記発光部ホルダーに沿って配置され、前記発光部ホルダーを発光位置または収納位置に位置させる回転軸部材（１２）と、を備えるフラッシュ機構であって、前記回転軸部材は、前記発光部ホルダーの基端部側に対向する位置に設けられた回転軸（１２ａ）及び前記回転軸の近傍に設けられたストッパー軸（１２ｂ）を有し、前記発光部ホルダーは、前記回転軸が貫通する回転軸穴（１８ａ）及び前記ストッパー軸が貫通するストッパー軸穴（１８ｂ）を有し、前記回転軸受は、前記回転軸が挿入される回転軸受部（８ａ）及び前記回転軸部材の回動に伴い前記ストッパー軸が内部を移動するストッパー受部（８ｂ）を有することを特徴とする。
【発明の効果】
【０００８】
本発明によれば、高精度かつ高強度の小型化されたフラッシュ機構を提供することができる。
【図面の簡単な説明】
【０００９】
【図１】実施の形態に係る内蔵フラッシュが収納位置にある状態を示す斜視図である。
【図２】実施の形態に係る内蔵フラッシュが発光位置にある状態を示す斜視図である。
【図３】実施の形態に係るフラッシュ機構の分解斜視図である。
【図４】実施の形態に係る内蔵フラッシュが収納位置にある状態を示す図である。
【図５】実施の形態に係る内蔵フラッシュが収納位置にある状態のストッパー穴に対するストッパー軸の位置を示す図である。
【図６】実施の形態に係る内蔵フラッシュが発光位置にある状態を示す図である。
【図７】実施の形態に係る内蔵フラッシュが発光位置にある状態のストッパー穴に対するストッパー軸の位置を示す図である。
【発明を実施するための形態】
【００１０】
以下、図面を参照して、本発明の実施の形態に係るデジタルカメラ本体の上部に設けられた内蔵フラッシュのフラッシュ機構について説明する。図１は実施の形態に係る内蔵フラッシュが収納位置にあるデジタルカメラの前面を示す斜視図であり、図２は実施の形態に係る内蔵フラッシュが発光位置にあるデジタルカメラの前面を示す斜視図である。ここで図１及び図２に示すデジタルカメラ２は、レンズ交換可能なデジタルカメラであり、撮影レンズが取り外された状態を示している。内蔵フラッシュ４は、収納位置にある場合には図１に示すように、図示しない光源から発せられた照明光を透過するフラッシュパネル６が下方を向いた状態になり、発光位置にある場合には図２に示すようにフラッシュパネル６が前方を向いた状態になる。
【００１１】
図３は実施の形態に係る内蔵フラッシュのフラッシュ機構の分解斜視図である。フラッシュ機構は、カメラ本体の上部に保持される回転軸受８、発光部を保持する発光部ホルダー１０、発光部ホルダー１０を発光位置または収納位置に位置させる回転軸部材（左回転軸部材１２、右回転軸部材１４）、発光部ホルダー１０を発光位置方向に付勢するバネ１６を備えている。
【００１２】
回転軸受８には、カメラ本体の背面側から視て左側の側面に左回転軸部材１２の回転軸１２ａが挿入される回転軸穴８ａとストッパー軸１２ｂが内部を移動するストッパー穴８ｂが形成されている。またカメラ本体の背面側から視て右側の側面に右回転軸部材１４の回転軸１４ａが挿入される回転軸穴８ｃが形成されている。
【００１３】
発光部ホルダー１０は、先端部側に発光部（図4〜図７参照）を保持する発光部保持部１０ａを有すると共に、発光部保持部１０ａの両端部から基端部側に延び、回転軸受８を挟持する一対の左回転軸受支持部１８及び右回転軸受支持部２０を有している。左回転軸受支持部１８には、回転軸１２ａを貫通させる貫通穴１８ａ及びストッパー軸１２ｂを貫通させる貫通穴１８ｂが設けられている。右回転軸受支持部２０には、回転軸１４ａを貫通させる貫通穴２０ａが設けられている。
【００１４】
左回転軸部材１２は板状の部材であり、発光部ホルダー１０の左側側面に沿って配置される。左回転軸部材１２の発光部ホルダー１０に対向する内側の面の基端部側には回転軸１２ａが設けられ、その近傍の先端部側にストッパー軸１２ｂが設けられている。左回転軸部材１２の外側の面の回転軸１４ａに対応する位置には、発光部ホルダー１０を発光位置方向に付勢するバネ１６を支持するバネ支持軸１２ｅが設けられている。また左回転軸部材１２の先端部には外側に折り曲げられた形状のバネ１６を係止するバネ係止部１２ｃが設けられており、先端部の近傍には、回転軸部材固定用ビス２４を貫通させるビス穴１２ｄが設けられている。ここで左回転軸部材１２は金属性の部材であり絞り加工により一体的に成形されている。
【００１５】
右回転軸部材１４は板状の部材であり、発光部ホルダー１０の右側側面に沿って配置される。右回転軸部材１４の発光部ホルダー１０に対向する内側の面の基端部側には回転軸１４ａが設けられている。また右回転軸部材１４の先端部の近傍には、回転軸部材固定用ビス２６を貫通させるビス穴１４ｂが設けられている。バネ１６としては、ねじりコイルバネが用いられている。
【００１６】
フラッシュ機構の組み立てを行なう場合には、まず発光部ホルダー１０の左回転軸受支持部１８と右回転軸受支持部２０との間に回転軸受８を配置し、左回転軸部材１２の回転軸１２ａ及びストッパー軸１２ｂをそれぞれ発光部ホルダー１０の貫通穴１８ａ及び貫通穴１８ｂを介して、回転軸受８の回転軸穴８ａ及びストッパー穴８ｂに挿入し、回転軸部材固定用ビス２４を用いて左回転軸部材１２を発光部ホルダー１０に固定する。また右回転軸部材１４の回転軸１４ａを発光部ホルダー１０の貫通穴２０ａを介して、回転軸受８の回転軸穴８ｃに挿入し、回転軸部材固定用ビス２６を用いて右回転軸部材１４を発光部ホルダー１０に固定する。
【００１７】
次にバネ１６のコイル部分内に左回転軸部材１２のバネ支持軸１２ｅを挿入し、一方の端部１６ｂをバネ係止部１２ｃに係止する。そしてバネ固定用部ビス２２によりバネ１６を左回転軸部材１２に固定する。なおバネ１６の他方の端部１６ｂは、フラッシュ機構をカメラ本体に取付けた際にカメラ本体の所定の位置に押し当てられる。
【００１８】
次に内蔵フラッシュが収納位置にある場合と発光位置のある場合のフラッシュ機構の動作について説明する。図４は内蔵フラッシュが収納位置にあるときのフラッシュ機構を示す図であり、図５は、図４のＡ−Ａ矢視図である。また図６は内蔵フラッシュが発光位置にあるときのフラッシュ機構を示す図であり、図７は、図６のＢ−Ｂ矢視図である。内蔵フラッシュが収納位置にある場合には、図５に示すようにストッパー穴８ｂに挿入されているストッパー軸１２ｂはストッパー穴８ｂの下方に位置している。この状態においては、内蔵フラッシュは、図示しないフックにより収納位置に係止されている。
【００１９】
この状態において、ユーザーが図示しないフラッシュボタンを押下した場合や、ユーザーがレリーズボタンを半押した場合であって、設定されている撮影モードに基づきフラッシュの発光が必要な場合には、フックが外れバネ１６の付勢力により発光部ホルダー１０が回転軸１２ａ及び１４ａを中心に回動し、内蔵フラッシュが収納位置から発光位置に移動する。この場合には、図７に示すようにストッパー穴８ｂに挿入されているストッパー軸１２ｂがストッパー穴８ｂの最上部に当接して内蔵フラッシュ４が発光位置で停止する。
【００２０】
この実施の形態によれば、フラッシュ機構を構成する左回転軸部材１２を小型化し高精度かつ高強度に製造することができるためフラッシュ機構の小型化を達成することができ内蔵フラッシュ４を配置する場所の省スペース化を図ることができる。また回転軸１２ａ、ストッパー軸１２ｂ及びバネ支持軸１２ｅを左回転軸部材１２に設けているので、１つの部材である左回転軸部材１２を高精度に成形するだけでフラッシュ機構の回転精度を向上させることができる。
【００２１】
なお、上述の実施の形態において、左回転軸部材１２は金属性の部材であり絞り加工により一体的に成形されているが、金属性の板状部材に溶接などにより回転軸１２ａ、ストッパー軸１２ｂ及びバネ支持軸１２ｅを取付けて形成してもよい。
【００２２】
また上述の実施の形態において、左回転軸部材１２のみにストッパー軸を設けているが、右回転軸部材１４にもストッパー軸を設けると共に、右回転軸受支持部２０にストッパー軸を貫通させる貫通穴、回転軸受８の右側の側面にストッパー軸が挿入されるストッパー穴を設けるようしてもよい。
【符号の説明】
【００２３】
２…デジタルカメラ、４…内蔵フラッシュ、６…フラッシュパネル、８…回転軸受、１０…発光部ホルダー、１２…左回転軸部材、１２ａ…回転軸、１２ｂ…ストッパー軸、１２ｅ…バネ支持軸、１４…右回転軸部材、１６…バネ。
【図１】
2014071274.tif 000003
【図２】
2014071274.tif 000004
【図３】
2014071274.tif 000005
【図４】
2014071274.tif 000006
【図５】
2014071274.tif 000007
【図６】
2014071274.tif 000008
【図７】
2014071274.tif 000009